(57)【要約】  【課題】押圧球体による刺激がソフトで、かつ刺激できる範囲が広く、加えて、製造が容易で、紛失の恐れもない足裏刺激履物を実現する。  【解決手段】足裏を載せる履物台において、土踏まずと対応する位置に押圧球体の収納部を形成し、前記履物台と押圧球体に開けた横穴に水平の支軸を挿入して押圧球体を支持してあるため、水平支軸を中心にして押圧球体が自由に前後方向に回転できる。その結果、履いた場合に押圧球体が前後方向に容易に多少回転することによって、足裏を押圧する刺激がソフトになり、心地よい刺激を加えることができる。押圧球体の回転によって、刺激範囲が多少拡がるので、好みのツボを選択刺激可能となる。収納部中で押圧球体が支軸に沿って１〜５ｍ程度左右にスライドできるので、左右方向の選択も容易である。【選択図】  図１
0003128881.tif 000002
【実用新案登録請求の範囲】
【請求項１】
足裏を載せる履物台において、土踏まずと対応する位置に押圧球体の収納部を形成すると共に、前記履物台および押圧球体に開けた横穴に水平の支軸を挿入して押圧球体を支持してなることを特徴とする足裏刺激履物。
【請求項２】
前記の水平の支軸の上下位置を調節する手段を有していることを特徴とする請求項１に記載の足裏刺激履物。
【請求項３】
前記の収納部は、上下方向に貫通している円筒状の孔であることを特徴とする請求項１または請求項２に記載の足裏刺激履物。
【請求項４】
前記の履物台は、土踏まずと対応する部分が凸円弧状に盛り上がっていることを特徴とする請求項１、請求項２または請求項３に記載の足裏刺激履物。
【請求項５】
前記の凸円弧状の隆起部の最高位置より前寄りの下り勾配の途中に前記収納部の中心が位置していることを特徴とする請求項１から請求項４までのいずれかの項に記載の足裏刺激履物。
【請求項６】
前記の押圧球体がゴルフボールであることを特徴とする請求項１から請求項５までのいずれかの項に記載の足裏刺激履物。
【考案の詳細な説明】
【技術分野】
【０００１】
本考案は、足裏特に土踏まずを刺激して、指圧ないしマッサージ効果を得ることのできる足裏刺激履物に関する。土踏まずには、太陽神経叢、胃、副腎、膵臓、十二指腸、腎臓などのツボが集中しているので、これらを刺激することで、治療効果が期待できる。
【背景技術】
【０００２】
特開平10−229903号によると、土踏まず部分に形成した押圧用突起の突出量を調整できる履物を提供するために、底部の土踏まず部分に半球状の収容孔を設け、この収容孔にほぼ上側半分が底部の土踏まず部分表面より突出した状態となるようにゴム製押圧球部材を回転可能に嵌め込み、必要に応じて、押圧球部材を収容孔内から取り出し、収容孔内に押圧球部材よりも多少小型の押圧球部材を嵌め込んで配置してなる構造が提案されている。
【特許文献１】特開平10−229903号
【考案の開示】
【考案が解決しようとする課題】
【０００３】
しかしながら、このような構造では、半球状収容孔内における押圧球部材の回転が円滑でなく、その結果、足裏に対する刺激が強過ぎて、心地よい刺激を得ることが困難である。しかも、刺激できる範囲が狭く、限定される。また、履物の底部に半球状の収容孔を形成するのが困難で、製造コストが高くなる。押圧球部材が半球状の収容孔から脱落し易く、紛失し易い。本考案の技術的課題は、このような問題に着目し、押圧球体による刺激がソフトで、かつ刺激できる範囲が広く、加えて、製造が容易で、紛失の恐れもない足裏刺激履物を実現することにある。
【課題を解決するための手段】
【０００４】
本考案の技術的課題は次のような手段によって解決される。請求項１は、足裏を載せる履物台において、土踏まずと対応する位置に押圧球体の収納部を形成すると共に、前記履物台および押圧球体に開けた横穴に水平の支軸を挿入して押圧球体を支持してなることを特徴とする足裏刺激履物である。このように、足裏を載せる履物台において、土踏まずと対応する位置に押圧球体の収納部を形成してあり、前記履物台および押圧球体に開けた横穴に水平の支軸を挿入して押圧球体を支持してなる構造であるため、水平支軸を中心にして押圧球体が自由に前後方向に回転できる。その結果、サンダルや下駄のように履いた場合に、押圧球体が前後方向に容易に多少回転することによって、足裏を押圧する刺激がソフトになり、心地よい刺激を加えることができる。押圧球体の回転によって、刺激範囲が多少拡がるので、好みのツボを選択刺激可能となる。収納部中で押圧球体が支軸に沿って１〜５ｍ程度左右にスライドできるので、左右方向の選択も容易である。
【０００５】
請求項２は、前記の水平の支軸の上下位置を調節する手段を有していることを特徴とする請求項１に記載の足裏刺激履物である。このように、前記の水平の支軸の上下位置を調節する手段を有しているため、押圧球体の突出量が高くて、足裏に与える刺激が強過ぎて痛いような場合は、支軸の高さを下げることができる。逆に刺激が弱過ぎて物足りない場合は、支軸を高くして、押圧球体が足裏に与える刺激を強めることができる。
【０００６】
請求項３は、前記の収納部は、上下方向に貫通している円筒状の孔であることを特徴とする請求項１または請求項２に記載の足裏刺激履物である。このように、前記の収納部は、上下方向の円筒状貫通孔であるため、ドリルなどによって容易に開けることができ、製造コストが安くなる。
【０００７】
請求項４は、前記の履物台は、土踏まずと対応する部分が凸円弧状に盛り上がっていることを特徴とする請求項１、請求項２または請求項３に記載の足裏刺激履物である。このように、前記の履物台は、土踏まずの部分が凸円弧状に隆起しているため、履物台の全面が足裏の凹凸形状に沿った形状となり、安定良く、かつ心地よく履くことができる。
【０００８】
請求項５は、前記の凸円弧状の隆起部の最高位置より前寄りの下り勾配の途中に前記の収納部の中心が位置していることを特徴とする請求項１から請求項４までのいずれかの項に記載の足裏刺激履物である。このように、前記の凸円弧状に隆起している部分の最高位置より前寄りの下り勾配の途中に前記の収納部の中心が位置しているため、押圧球体を隆起させ易く、土踏まずのツボの位置が効果的に押圧刺激される。また、履物台の上に立って足裏を前後左右に多少動かすだけで、土踏まずの最も刺激を受けたい部位に押圧球体を位置させることができ、ツボの選択が容易になる。
【０００９】
請求項６は、前記の押圧球体がゴルフボールであることを特徴とする請求項１から請求項５までのいずれかの項に記載の足裏刺激履物である。このように、前記の押圧球体としてゴルフボールを用いると、安価に実現できると共に、樹脂製であるために足裏に対する刺激がソフトになる。また、ゴルフボール表面の凹凸が心地よい刺激をもたらす。
【考案の効果】
【００１０】
請求項１のように、足裏を載せる履物台において、土踏まずと対応する位置に押圧球体の収納部を形成してあり、前記履物台および押圧球体に開けた横穴に水平の支軸を挿入して押圧球体を支持してあるため、水平支軸を中心にして押圧球体が自由に前後方向に回転できる。その結果、サンダルや下駄のように履いた場合に、押圧球体が前後方向に容易に多少回転することによって、足裏を押圧する刺激がソフトになり、心地よい刺激を加えることができる。押圧球体の回転によって、刺激範囲が多少拡がるので、好みのツボを選択刺激可能となる。
【００１１】
請求項２のように、前記の水平の支軸の上下位置を調節する手段を有しているため、押圧球体の突出量が高くて、足裏に与える刺激が強過ぎて痛いような場合は、支軸の高さを下げることができる。逆に刺激が弱過ぎて物足りない場合は、支軸を高くして、押圧球体が足裏に与える刺激を強めることができる。
【００１２】
請求項３のように、前記の収納部は、上下方向の円筒状貫通孔であるため、ドリルなどで容易に開けることができ、製造コストが安くなる。
【００１３】
請求項４のように、前記の履物台は、土踏まずの部分が凸円弧状に隆起しているため、履物台の全面が足裏の凹凸形状に沿った形状となり、安定良く、かつ心地よく履くことができる。
【００１４】
請求項５のように、前記の凸円弧状に隆起している部分の最高位置より前寄りの下り勾配の途中に前記の収納部の中心が位置しているため、押圧球体を隆起させ易く、土踏まずのツボの位置が効果的に押圧刺激される。また、履物台の上に立って足裏を前後左右に多少動かすだけで、土踏まずの最も刺激を受けたい部位に押圧球体を位置させることができ、ツボの選択が容易になる。
【００１５】
請求項６のように、前記の押圧球体としてゴルフボールを用いると、安価に実現できると共に、樹脂製であるために足裏に対する刺激がソフトになる。また、ゴルフボール表面の凹凸が心地よい刺激をもたらす。
【考案を実施するための最良の形態】
【００１６】
次に本考案による足裏刺激履物が実際上どのように具体化されるか実施形態を説明する。図は本考案による足裏刺激履物の実施形態で、図１は斜視図、図２は平面図、図３は側面図である。前後方向に長い履物台１のほぼ前半にサンダル状の甲部カバー２が取付け固定してある。図４は履物台１と甲部カバー２を分解した状態で、ほぼベルト状の甲部カバー２の両端２ａ、２ｂが履物台１の左右の側壁１ａ、１ｂに例えば５本の木ネジ３…で取付け固定される。４…はメネジ孔で、前記の木ネジ３…が螺入される。
【００１７】
前記の履物台１において、使用者の足の土踏まずとほぼ対応する位置に収納部５を形成して、その中に球状の押圧体６を収納してある。図５は図２のＡ−Ａ断面図で、前記の押圧球体６中心に水平方向のボルト状支軸７を挿通してある。履物台１にも、図４のように、水平方向に支軸挿通用の水平孔１ｈを開けて、図２に破線７で示すように、履物台１中にも水平に挿通してある。図４のように、このボルト状支軸７の先端のオネジ部７ａに螺合させるナット８を有している。なお、このナット８は、履物台１の６角凹部１ｄ中に埋め込んだ状態となるので、空転する恐れはない。ボルト頭部７ｈには、ドライバー用のプラス溝やマイナス溝を設けておくのがよい。図２のように、収納部５の内壁と押圧球体６の外面との間に0.５〜2.５ｍｍの隙間があるので、押圧球体６は、支軸７に沿って１〜５ｍ程度左右にスライド移動できる。
【００１８】
いま、この履物台１を履き、足裏を履物台１に載せて立つと、足裏の土踏まず部分が押圧球体６で加圧され、指圧又はマッサージの様に刺激される。特に、押圧球体６が、支軸７を中心にして前後方向に回転可能なため、わずかの動作で回転することになり、足裏に対し滑るようにしてマッサージ同様な刺激を円滑かつソフトに加えることができる。したがって、履いて歩くことによって、繰り返し、かつ効果的に指圧乃至マッサージの様な刺激を足裏のツボに加えることができ、自律神経を整えたり、副交感神経を正常に戻すことができる。なお、押圧球体６の中心には、金属製のパイプ６ｈを挿入して、耐磨耗性を高めるのがよい。
【００１９】
履物台１の上面は、下駄のような平坦でも可能であるが、図５のように、使用者の土踏まずと対応する部分を凸円弧状に高くして、履物台１の上面自体を土踏まずと対応して隆起した形状にしてある。そのため、履いた状態では、凸円弧状の隆起部９を有する履物台上面の全面に足裏全体がフィットする。その状態で、隆起部９の付近に押圧球体６が位置しているので、押圧球体６による土踏まずに対する刺激が効果かつ確実となる。なお、履物台１の接地面側の形状は任意であり、特に限定されない。履物台１の材質も任意で、木質や合成樹脂製など、自由に選択できる。
【００２０】
図３や図５からも明らかなように、凸円弧状の隆起部における最高部位よりも多少前寄りに前記収納部５の中心が位置している。その結果、押圧球体６も、最も隆起している部分よりも多少前寄りの下り勾配の途中に位置しているため、押圧球体を隆起させ易く、土踏まずのツボの位置が効果的に押圧刺激される。逆に、押圧球体６より幾分後方に凸円弧状の最高部位９が位置しているが、履いた際に歩き易くするためであり、足裏の形態にフィットしている。
【００２１】
前記のように、履物台１中の左右方向の水平孔１ｈに挿通した支軸７で押圧球体６が支持されているので、収納部５は、必ずしも図示のような球面状の凹部である必要はなく、鎖線５ｃで示すような上下方向の貫通孔にしてもよい。その平面形状は円形であるから、円筒状の貫通孔となる。このような円筒状の貫通孔だと、上下方向に貫通孔を形成するだけであるから、製造が容易で、安価に提供できる。
【００２２】
前記の押圧球体６の材質は特に限定されない。したがって、金属球でも可能であり、夏場は肌触りがヒンヤリするので、心地よい。しかし、製造上は合成樹脂製が適しており、既製の球体が有れば、より安価に実現できる。例えばゴルフボールも好適である。ゴルフボールは表面に無数の凹凸が有るので、土踏まずに対して刺激を与える上では、真球体より適している。
【００２３】
使用者の好みによって、押圧球体６の突出高さを選択できることが望ましい。押圧球体６の大きさを選べるように、数種類のサイズを用意しておくこともできる。より強い刺激を求める場合は、より大きいサイズを使用すれば、突出高さも高くなり、より強い刺激が可能となる。押圧球体６の交換に際しては、一旦甲部カバー２を取り外し、しかも支軸７を抜き取る必要があることは言うまでもない。
【００２４】
押圧球体６のサイズは一定とし、水平のボルト状支軸７の上下位置を調節することも可能である。上下位置の調節手段としては、例えば図６（１）のように、履物台１中に開けた上下方向に長い長孔中に複数のパイプＰ１、Ｐ２、Ｐ３を重ねて水平に埋め込んでおいて、好みの高さの横パイプを選択し、支軸７を挿通することもできる。図６（２）のように、１本のパイプＰ１の下に複数枚のスペーサ用金属製帯状板Ｓ…を重ねておいて、その重ね枚数を選択することで、支軸７挿入用パイプＰ１の高さを調節することも可能である。各スペーサ用帯状板Ｓ…の外端はＬ状に折り曲げて、抜き取り時に把持し易くするのがよい。なお、支軸を挿通する水平孔１ｈの高さの異なる履物台を数種類用意しておいて、好みの高さを選択することも可能である。
【００２５】
本考案の足裏刺激履物は、通常の履物として使用できることは勿論だが、足裏刺激専用の履物とし、専ら足裏刺激の際のみに履くこともできる。
【産業上の利用可能性】
【００２６】
以上のように、本考案によると、押圧球体が水平の支軸を介して履物台に支持されていて、前後方向に回転可能なため、押圧球体による土踏まずに対する刺激がソフトでかつ刺激可能な範囲が多少広くなり、いろいろなツポを選択的に刺激できる。押圧球体を紛失する恐れもない。また、押圧球体の収納部が貫通孔で足りるので、製造が容易で、安価に提供できる。
【図面の簡単な説明】
【００２７】
【図１】本考案による足裏刺激履物の実施形態を示す斜視図である。
【図２】図１の足裏刺激履物の平面図である。
【図３】図１の足裏刺激履物の側面図である。
【図４】図１の足裏刺激履物の分解斜視図である。
【図５】図２のＡ−Ａ断面図である。
【図６】支軸の高さ調節手段を示す、図２のＢ−Ｂ断面図で、（１）は、複数のパイプを重ねてある例、（２）は、１本のパイプの下にスペーサ板を挟んである例である。
【符号の説明】
【００２８】
１  履物台
１ｄ  ６角凹部
１ｈ  水平孔
２  甲部カバー
３  木ネジ
４  メネジ孔
５  押圧球体の収納部
６  押圧球体
７  ボルト状の支軸
８  ナット
９  凸円弧状部
９ｔ  凸円弧状部の最も隆起している部分
Ｐ１・Ｐ２・Ｐ３  支軸挿通用の水平パイプ
Ｓ…  スペーサ用の帯状板
【図１】
0003128881.tif 000003
【図２】
0003128881.tif 000004
【図３】
0003128881.tif 000005
【図４】
0003128881.tif 000006
【図５】
0003128881.tif 000007
【図６】
0003128881.tif 000008